(57)【特許請求の範囲】
【請求項１】
室内ファン（１２）によって室内空気を導入し、室内熱交換器（１１）の内部を通過する冷媒と前記室内熱交換器の外表面を通過する空気との間で熱交換を行う空気調和機であって、
前記室内熱交換器（１１）は、
第１熱交部（１８５）と、
第２熱交部（１８４）と、
前記第１熱交部と第２熱交部とを直列に接続するとともに、前記第１熱交部と第２熱交部とのいずれか一方が蒸発器として機能し他方が凝縮器として機能するように冷媒の圧力調整が可能な圧力調整機構（１６）と、
を有し、
前記第１熱交部が蒸発器として機能し前記第２熱交部が凝縮器として機能するように前記圧力調整機構を制御するとき、前記第１熱交部の外表面に付着する結露水が前記第２熱交部の外表面近傍に導かれ、前記結露水が前記第２熱交部を通過する空気へ蒸発して前記加湿空気が生じるとともに、前記第１熱交部を通過して除湿された前記乾燥空気と前記第２熱交部を通過して加湿された前記加湿空気とが別々に案内され、
前記第１熱交部（１８５）を通過して除湿された乾燥空気を室内に案内する第１案内手段（１９１）と、
前記第２熱交部（１８４）を通過して加湿された加湿空気を室内に案内する第２案内手段（１９２）と、
を備え、
前記第１案内手段（１９１）および前記第２案内手段（１９２）は、前記乾燥空気を左右方向における所定角度に設定し、前記加湿空気を左右方向における前記所定角度と異なる他の角度に設定する垂直フラップである、
空気調和機。
【請求項２】
室内ファン（１２）によって室内空気を導入し、室内熱交換器（１１）の内部を通過する冷媒と前記室内熱交換器の外表面を通過する空気との間で熱交換を行う空気調和機であって、
前記室内熱交換器（１１）は、
第１熱交部（１８５）と、
第２熱交部（１８１，１８２，１８３，１８４）と、
前記第１熱交部と第２熱交部とを直列に接続するとともに、前記第１熱交部と第２熱交部とのいずれか一方が蒸発器として機能し他方が凝縮器として機能するように冷媒の圧力調整が可能な圧力調整機構（１６）と、
を有し、
前記第２熱交部（１８１，１８２，１８３，１８４）は、
前記第１熱交部（１８５）からの結露水が供給されて前記加湿空気を生成する暖房加湿空気生成部（１８４）と、
前記第１熱交部（１８５）からの結露水が供給されない暖房乾燥空気生成部（１８１，１８２，１８３）と、
を有し、
前記第１熱交部が蒸発器として機能し前記第２熱交部が凝縮器として機能するように前記圧力調整機構を制御するとき、前記第１熱交部の外表面に付着する結露水が前記第２熱交部の外表面近傍に導かれ、前記結露水が前記第２熱交部を通過する空気へ蒸発して前記加湿空気が生じるとともに、前記第１熱交部を通過して除湿された前記乾燥空気と前記第２熱交部を通過して加湿された前記加湿空気とが別々に案内され、
前記第１熱交部（１８５）を通過して除湿された乾燥空気を室内に案内する第１案内手段（１９５）と、
前記第２熱交部（１８１，１８２，１８３，１８４）を通過して加湿された加湿空気を室内に案内する第２案内手段（１９６）と、
を備え、
前記第１案内手段（１９５）および前記第２案内手段（１９６）は、前記加湿空気が室内の下部領域を通過し、前記乾燥空気が前記加湿空気よりも上部領域を通過するように設定する水平フラップであり、
前記水平フラップ（１９５，１９６）は、
前記暖房加湿空気生成部（１８４）で生成される前記加湿空気を室内の下部領域を通過する暖房加湿空気流として排出させ、
前記第１熱交部（１８５）で生成される前記乾燥空気を前記暖房加湿空気流よりも上部領域を通過する冷却乾燥空気流として排出させ、
前記暖房乾燥空気生成部（１８１，１８２，１８３）で生成される暖房乾燥空気を前記冷却乾燥空気流よりもさらに上部領域を通過する暖房乾燥空気流として排出させる、
空気調和機。
【請求項３】
室内ファン（１２）によって室内空気を導入し、室内熱交換器（１１）の内部を通過する冷媒と前記室内熱交換器の外表面を通過する空気との間で熱交換を行う空気調和機であって、
前記室内熱交換器（１１）は、
第１熱交部（１８５）と、
第２熱交部（１８１，１８２，１８３，１８４）と、
前記第１熱交部と第２熱交部とを直列に接続するとともに、前記第１熱交部と第２熱交部とのいずれか一方が蒸発器として機能し他方が凝縮器として機能するように冷媒の圧力調整が可能な圧力調整機構（１６）と、
を有し、
前記第２熱交部（１８１，１８２，１８３，１８４）は、
前記第１熱交部（１８５）からの結露水が供給されて前記加湿空気を生成する暖房加湿空気生成部（１８４）と、
前記第１熱交部（１８５）からの結露水が供給されない暖房乾燥空気生成部（１８１，１８２，１８３）と、
を有し、
前記第１熱交部が蒸発器として機能し前記第２熱交部が凝縮器として機能するように前記圧力調整機構を制御するとき、前記第１熱交部の外表面に付着する結露水が前記第２熱交部の外表面近傍に導かれ、前記結露水が前記第２熱交部を通過する空気へ蒸発して前記加湿空気が生じるとともに、前記第１熱交部を通過して除湿された前記乾燥空気と前記第２熱交部を通過して加湿された前記加湿空気とが別々に案内され、
前記第１熱交部（１８５）を通過して除湿された乾燥空気を室内に案内する第１案内手段（１９５）と、
前記第２熱交部（１８１，１８２，１８３，１８４）を通過して加湿された加湿空気を室内に案内する第２案内手段（１９６）と、
を備え、
前記第１案内手段（１９５）および前記第２案内手段（１９６）は、前記加湿空気が室内の下部領域を通過し、前記乾燥空気が前記加湿空気よりも上部領域を通過するように設定する水平フラップであり、
前記水平フラップ（１９５，１９６）は、
前記暖房加湿空気生成部（１８４）で生成される前記加湿空気を室内の下部領域を通過する暖房加湿空気流として排出させ、
前記第１熱交部（１８５）で生成される前記乾燥空気と前記暖房乾燥空気生成部（１８１，１８２，１８３）で生成される暖房乾燥空気とが混合された弱暖乾燥空気を、前記暖房加湿空気流よりも上部領域を通過する弱暖乾燥空気流として排出させる、
空気調和機。
【発明の詳細な説明】
【０００１】
【発明の属する技術分野】
本発明は、室内ファンによって室内空気を導入し、室内熱交換器の内部を通過する冷媒と室内熱交換器の外表面を通過する空気との間で熱交換を行う空気調和機に関する。
【０００２】
【従来の技術】
一般的なセパレート型の空気調和機では、室外機内に配置される室外熱交換器と、室内機内に配置される室内熱交換器とが冷媒配管で接続され、各熱交換器が冷媒の凝縮器および蒸発器として機能するように制御することにより冷房運転または暖房運転を行うように構成されている。
【０００３】
室外機内には、空気流を生成するための室外ファンが配置されており、この室外ファンによって外気を導入し、室外熱交換器の内部を通過する冷媒と空気との間で熱交換を行う。
同様に、室内機にも室内機ケーシング内部に空気流を生成する室内ファンが配置されており、この室内ファンのよって室内空気を吸い込んで、室内熱交換器の内部を通過する冷媒と空気との間で熱交換を行う。
【０００４】
一般的に空気調和機の暖房運転では水分の供給がないまま室温のみが上がるため、室内の相対湿度が大幅に低下する場合がある。このため、空気調和機に加湿ユニットを設けて室内に加湿空気を供給することが提案されている。加湿ユニットは、たとえば、空気中の水分を吸着し、加熱することにより吸着された水分を離脱するようなゼオライトなどの多孔質の吸湿材料で円盤形状の加湿ロータを構成し、これを回転可能に支持する。空気中の水分を加湿ロータに吸着させるために外気を導入して加湿ロータの一部を通過する空気流を生成するための吸湿ファンと、加湿ロータから離脱した水分を含む加湿空気を室内機側に搬送するための空気流を生成する加湿ファンとを備えている。吸湿ファンによる空気流と加湿ファンによる空気流は、それぞれ加湿ロータの回転方向に異なる位置で加湿ロータを通過するように構成されており、加湿ファンによる空気流が通過する位置には、加湿ロータを加熱するヒータが配置される。
【０００５】
吸湿ファンによる空気流中に含まれる水分は加湿ロータの吸湿材料に吸着される。加湿ロータはモータにより回転駆動されており、ヒータによる加熱位置では吸着された水分が離脱し、加湿ファンによる空気流中に水分を与えることができる。
【０００６】
【発明が解決しようとする課題】
前述したような加湿ユニットを搭載した空気調和機では、加湿ユニットを構成する多数の部品が追加されており、装置全体のコストアップにつながる。また、このような加湿ユニットでは、加湿ロータに吸着した水分を離脱させるためのヒータが設けられている。このようなヒータのエネルギー消費効率COPの値はほぼ"1"となるため、エネルギー消費が大きく、加湿運転時における消費電力が通常の空調運転時に比して多大なものとなる。
【０００７】
また、加湿空気を室内に吹き出すための室内空調ユニットは、室内全体の湿度を高めるように加湿空気の吹出口が均一に設けられているため、人間が存在していない空間まで無駄に加湿することとなり、体感される加湿効果が少なくなるとともに、壁面や窓などの結露しやすい場所への加湿が行われるため、過剰な結露やカビの発生の原因となるおそれがある。
【０００８】
本発明は、追加部品を極力少なくして加湿運転が可能な空気調和機を提供することを目的とする。
【０００９】
【課題を解決するための手段】
本発明の請求項１に係る空気調和機は、室内ファンによって室内空気を導入し、室内熱交換器の内部を通過する冷媒と室内熱交換器の外表面を通過する空気との間で熱交換を行う空気調和機であって、室内熱交換器が、第１熱交部と、第２熱交部と、圧力調整機構とを有している。圧力調整機構は、第１熱交部と第２熱交部とを直列に接続するとともに、第１熱交部と第２熱交部とのいずれか一方が蒸発器として機能し他方が凝縮器として機能するように冷媒の圧力調整が可能である。また、請求項１に係る空気調和機では、第１熱交部が蒸発器として機能し第２熱交部が凝縮器として機能するように圧力調整機構を制御するとき、第１熱交部の外表面に付着する結露水が第２熱交部の外表面近傍に導かれ、結露水が第２熱交部を通過する空気へ蒸発して加湿空気が生じるとともに、第１熱交部を通過して除湿された乾燥空気と第２熱交部を通過して加湿された加湿空気とが別々に案内される。また、空気調和機は、第１案内手段と、第２案内手段とを備えている。第１案内手段は、第１熱交部を通過して除湿された乾燥空気を室内に案内する。第２案内手段は、第２熱交部を通過して加湿された加湿空気を室内に案内する。そして、第１案内手段および第２案内手段は、乾燥空気を左右方向における所定角度に設定し、加湿空気を左右方向における所定角度と異なる他の角度に設定する垂直フラップである。
【００１０】
この場合、室内熱交換器の第１熱交部が蒸発器として機能し第２熱交部が凝縮器として機能するように圧力調整機構を制御し、第１熱交部の外表面に付着した結露水を第２熱交部の外表面近傍に案内すれば、第２熱交部で熱交換された暖房空気および第２熱交部内部の冷媒によって水分が蒸発して暖房空気が加湿されることとなる。したがって、室内に加湿調整空気を供給することが可能となる。通常の空気調和機では室内熱交換器は必須の構成要素であり、除湿運転中に室内に吹き出される空気の温度が低くなり過ぎないように、室内熱交換器の一部を除湿のための蒸発器として機能させ他の一部を暖房用の凝縮器として機能させるような再熱ドライと呼ばれる運転モードを搭載する空気調和機では、再熱ドライモードを逆転させた運転モードを設定することで、新たな部品を追加することなく加湿運転することが可能となる。
【００１１】
たとえば、室内熱交換器を通過した後の加湿空気を室内に供給して、乾燥空気を室外に排出するように構成できるので、加湿効果を高めることが可能となる。
また、たとえば、第１熱交部が蒸発器として機能し第２熱交部が凝縮器として機能するように圧力調整機構を制御するとき、第２熱交部により加湿された調整空気を暖房加湿空気流として室内に排出する暖房加湿空気案内手段と、第２熱交部により加湿された空気以外の熱交換後の調整空気を暖房加湿空気流と異なる乾燥空気流として室内に排出する乾燥空気案内手段とをさらに備えさせれば、人間が存在する室内中央部の下方領域に対して暖房加湿空気を案内するように設定し、壁面や窓ガラスのある周辺部に乾燥空気を案内するように構成することで、人間が体感する加湿効果を高めることができ、壁面や窓ガラスなどに結露を生じにくくして、加湿効率を向上させることができる。
【００１２】
また、この場合、たとえば、空気調和機の正面に人間がいる場合に、垂直フラップを調整して暖房加湿空気流が空気調和機の正面になるように設定し、乾燥空気流が空気調和機から左右に広がるように設定することにより、人間が存在する場所に加湿空気を効率よく供給することができ、壁面や窓ガラスなどの結露しやすい個所への余分な湿度の供給を抑制できる。
【００１３】
本発明の請求項２に係る空気調和機は、室内ファンによって室内空気を導入し、室内熱交換器の内部を通過する冷媒と室内熱交換器の外表面を通過する空気との間で熱交換を行う空気調和機であって、室内熱交換器が、第１熱交部と、第２熱交部と、圧力調整機構とを有している。圧力調整機構は、第１熱交部と第２熱交部とを直列に接続するとともに、第１熱交部と第２熱交部とのいずれか一方が蒸発器として機能し他方が凝縮器として機能するように冷媒の圧力調整が可能である。第２熱交部は、第１熱交部からの結露水が供給されて加湿空気を生成する暖房加湿空気生成部と、第１熱交部からの結露水が供給されない暖房乾燥空気生成部とを有している。また、請求項１に係る空気調和機では、第１熱交部が蒸発器として機能し第２熱交部が凝縮器として機能するように圧力調整機構を制御するとき、第１熱交部の外表面に付着する結露水が第２熱交部の外表面近傍に導かれ、結露水が第２熱交部を通過する空気へ蒸発して加湿空気が生じるとともに、第１熱交部を通過して除湿された乾燥空気と第２熱交部を通過して加湿された加湿空気とが別々に案内される。また、空気調和機は、第１案内手段と、第２案内手段とを備えている。第１案内手段は、第１熱交部を通過して除湿された乾燥空気を室内に案内する。第２案内手段は、第２熱交部を通過して加湿された加湿空気を室内に案内する。そして、第１案内手段および第２案内手段は、加湿空気が室内の下部領域を通過し、乾燥空気が加湿空気よりも上部領域を通過するように設定する水平フラップである。そして、水平フラップは、暖房加湿空気生成部で生成される加湿空気を室内の下部領域を通過する暖房加湿空気流として排出させ、第１熱交部で生成される乾燥空気を暖房加湿空気流よりも上部領域を通過する冷却乾燥空気流として排出させ、暖房乾燥空気生成部で生成される暖房乾燥空気を冷却乾燥空気流よりもさらに上部領域を通過する暖房乾燥空気流として排出させる。
【００１４】
この場合、室内熱交換器の第１熱交部が蒸発器として機能し第２熱交部が凝縮器として機能するように圧力調整機構を制御し、第１熱交部の外表面に付着した結露水を第２熱交部の外表面近傍に案内すれば、第２熱交部で熱交換された暖房空気および第２熱交部内部の冷媒によって水分が蒸発して暖房空気が加湿されることとなる。したがって、室内に加湿調整空気を供給することが可能となる。通常の空気調和機では室内熱交換器は必須の構成要素であり、除湿運転中に室内に吹き出される空気の温度が低くなり過ぎないように、室内熱交換器の一部を除湿のための蒸発器として機能させ他の一部を暖房用の凝縮器として機能させるような再熱ドライと呼ばれる運転モードを搭載する空気調和機では、再熱ドライモードを逆転させた運転モードを設定することで、新たな部品を追加することなく加湿運転することが可能となる。
【００１５】
たとえば、室内熱交換器を通過した後の加湿空気を室内に供給して、乾燥空気を室外に排出するように構成できるので、加湿効果を高めることが可能となる。
また、たとえば、第１熱交部が蒸発器として機能し第２熱交部が凝縮器として機能するように圧力調整機構を制御するとき、第２熱交部により加湿された調整空気を暖房加湿空気流として室内に排出する暖房加湿空気案内手段と、第２熱交部により加湿された空気以外の熱交換後の調整空気を暖房加湿空気流と異なる乾燥空気流として室内に排出する乾燥空気案内手段とをさらに備えさせれば、人間が存在する室内中央部の下方領域に対して暖房加湿空気を案内するように設定し、壁面や窓ガラスのある周辺部に乾燥空気を案内するように構成することで、人間が体感する加湿効果を高めることができ、壁面や窓ガラスなどに結露を生じにくくして、加湿効率を向上させることができる。
【００１６】
また、この場合、乾燥空気流中には第１熱交部を通過した後の冷却乾燥空気が含まれており、暖房加湿空気を下方に押さえ込むことにより、室内の下方領域を加湿することが可能となる。したがって、床面に近い位置にいる人間に対する加湿効果を高めることができ、就寝時に空調運転を行う際に効果的な加湿運転を行うことができる。
【００１７】
さらに、この場合、冷却乾燥空気流による暖房加湿空気流の押さえ込みがより効果的にできるので、室内の下部領域に対する加湿効果をより高めることができる。
本発明の請求項３に係る空気調和機は、室内ファンによって室内空気を導入し、室内熱交換器の内部を通過する冷媒と室内熱交換器の外表面を通過する空気との間で熱交換を行う空気調和機であって、室内熱交換器が、第１熱交部と、第２熱交部と、圧力調整機構とを有している。圧力調整機構は、第１熱交部と第２熱交部とを直列に接続するとともに、第１熱交部と第２熱交部とのいずれか一方が蒸発器として機能し他方が凝縮器として機能するように冷媒の圧力調整が可能である。第２熱交部は、第１熱交部からの結露水が供給されて加湿空気を生成する暖房加湿空気生成部と、第１熱交部からの結露水が供給されない暖房乾燥空気生成部とを有している。また、請求項１に係る空気調和機では、第１熱交部が蒸発器として機能し第２熱交部が凝縮器として機能するように圧力調整機構を制御するとき、第１熱交部の外表面に付着する結露水が第２熱交部の外表面近傍に導かれ、結露水が第２熱交部を通過する空気へ蒸発して加湿空気が生じるとともに、第１熱交部を通過して除湿された乾燥空気と第２熱交部を通過して加湿された加湿空気とが別々に案内される。また、空気調和機は、第１案内手段と、第２案内手段とを備えている。第１案内手段は、第１熱交部を通過して除湿された乾燥空気を室内に案内する。第２案内手段は、第２熱交部を通過して加湿された加湿空気を室内に案内する。そして、第１案内手段および第２案内手段は、加湿空気が室内の下部領域を通過し、乾燥空気が加湿空気よりも上部領域を通過するように設定する水平フラップである。そして、水平フラップは、暖房加湿空気生成部で生成される加湿空気を室内の下部領域を通過する暖房加湿空気流として排出させ、第１熱交部で生成される乾燥空気と暖房乾燥空気生成部で生成される暖房乾燥空気とが混合された弱暖乾燥空気を暖房加湿空気流よりも上部領域を通過する弱暖乾燥空気流として排出させる。
【００１８】
この場合、室内熱交換器の第１熱交部が蒸発器として機能し第２熱交部が凝縮器として機能するように圧力調整機構を制御し、第１熱交部の外表面に付着した結露水を第２熱交部の外表面近傍に案内すれば、第２熱交部で熱交換された暖房空気および第２熱交部内部の冷媒によって水分が蒸発して暖房空気が加湿されることとなる。したがって、室内に加湿調整空気を供給することが可能となる。通常の空気調和機では室内熱交換器は必須の構成要素であり、除湿運転中に室内に吹き出される空気の温度が低くなり過ぎないように、室内熱交換器の一部を除湿のための蒸発器として機能させ他の一部を暖房用の凝縮器として機能させるような再熱ドライと呼ばれる運転モードを搭載する空気調和機では、再熱ドライモードを逆転させた運転モードを設定することで、新たな部品を追加することなく加湿運転することが可能となる。
【００１９】
たとえば、室内熱交換器を通過した後の加湿空気を室内に供給して、乾燥空気を室外に排出するように構成できるので、加湿効果を高めることが可能となる。
また、たとえば、第１熱交部が蒸発器として機能し第２熱交部が凝縮器として機能するように圧力調整機構を制御するとき、第２熱交部により加湿された調整空気を暖房加湿空気流として室内に排出する暖房加湿空気案内手段と、第２熱交部により加湿された空気以外の熱交換後の調整空気を暖房加湿空気流と異なる乾燥空気流として室内に排出する乾燥空気案内手段とをさらに備えさせれば、人間が存在する室内中央部の下方領域に対して暖房加湿空気を案内するように設定し、壁面や窓ガラスのある周辺部に乾燥空気を案内するように構成することで、人間が体感する加湿効果を高めることができ、壁面や窓ガラスなどに結露を生じにくくして、加湿効率を向上させることができる。
【００２０】
また、この場合、乾燥空気流中には第１熱交部を通過した後の冷却乾燥空気が含まれており、暖房加湿空気を下方に押さえ込むことにより、室内の下方領域を加湿することが可能となる。したがって、床面に近い位置にいる人間に対する加湿効果を高めることができ、就寝時に空調運転を行う際に効果的な加湿運転を行うことができる。
【００２１】
さらに、乾燥空気が暖房乾燥空気と混合されて弱暖乾燥空気流として排出されるため、加湿空気との温度差が小さくなっており、この弱暖乾燥空気流に接触しても違和感が少なくなる。弱暖乾燥空気流による加湿空気の押さえ込みができるため、室内の下部領域における加湿効果を高めることが可能となる。
【００２２】
【発明の実施の形態】
〔空気調和機の外観構成〕
本発明の前提となる空気調和機の外観構成を図１に示す。
この空気調和機１は、室内の壁面などに取り付けられる室内機２と、室外に設置される室外機３と備えている。室外機３は、室外熱交換器や室外ファンなどを収納する室外空調ユニット５を備えている。
【００２３】
室内機２内には室内熱交換器が収納され、室外機３内には室外熱交換器が収納されており、各熱交換器が冷媒配管６により接続されることにより冷媒回路を構成している。
〔冷媒回路の概略構成〕
空気調和機１で用いられる冷媒回路の一例を、図２に示す。
【００２４】
室内機２内には、室内熱交換器１１が設けられている。この室内熱交換器１１は、長さ方向両端で複数回折り返されてなる伝熱管と、伝熱管が挿通される複数のフィンとからなり、接触する空気との間で熱交換を行うものであり、電動膨張弁で構成される可逆弁１６によって直列に接続される第１熱交部１４と第２熱交部１５とを備えている。
【００２５】
通常の空調運転時には可逆弁１６は開放状態であり、第１熱交部１４と第２熱交部１５とはともに凝縮器または蒸発器として機能するように制御される。また、可逆弁１６を制御して減圧することで、第１熱交部１４と第２熱交部１５とのうちいずれか一方を凝縮器として機能させ、他方を蒸発器として機能させることが可能となっている。この可逆弁１６に代えて、キャピラリと開閉弁を並列に接続した構成とすることも可能である。
【００２６】
また、室内機２内には、室内空気を吸い込んで室内熱交換器１１との間で熱交換を行った後の空気を室内に排出するためのクロスフローファン１２が設けられている。クロスフローファン１２は、円筒形状に構成され、周面には回転軸方向に羽根が設けられているものであり、回転軸と交わる方向に空気流を生成する。このクロスフローファン１２は、室内機２内に設けられるファンモータ１３によって回転駆動される。
【００２７】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動膨張弁でなる減圧器２５とが設けられている。減圧器２５は、液閉鎖弁２７を介して現地配管３１に接続されており、この現地配管３１を介して室内熱交換器１１の一端と接続される。また、四路切換弁２２は、ガス閉鎖弁２８を介して現地配管３２に接続されており、この現地配管３２を介して室内熱交換器１１の他端と接続されている。この現地配管３１，３２は図１の冷媒配管６に相当する。
【００２８】
室外空調ユニット５内には、室外熱交換器２４での熱交換後の空気を外部に排出するためのプロペラファン２９が設けられている。このプロペラファン２９は、ファンモータ３０によって回転駆動される。
【００２９】
〔室内熱交換器〕
室内熱交換器１１の冷媒経路を図３に模式図として示す。
室内熱交換器１１は、室内機２の前面上部に位置する第１区画部１１Ａ、前面中間部に位置する第２区画部１１Ｂ、前面下部に位置する第３区画部１１Ｃ、背面上部に位置する第４区画部１１Ｄ、背面下部に位置する第５区画部１１Ｅを備えている。
第１区画部１１Ａは、長さ方向左右両端で接続される複数の伝熱管１２１と伝熱管１２１の貫通孔に挿通される複数の第１フィン１１１、同様に長さ方向左右両端で接続される複数の伝熱管１２２と伝熱管１２２の貫通孔に挿通される複数の第２フィン１１２を備えている。伝熱管１２１の一端に液管側の冷媒配管Ａが接続されており、他端は伝熱管１２２の一端に接続されている。伝熱管１２２は、伝熱管１２１と接続される一端側から２系統に分岐する冷媒経路を構成しており、他端側がひとつにまとめられて可逆弁１６の一端側の配管Ｂに接続されている。
【００３０】
第２区画部１１Ｂは、長さ方向左右両端で接続される複数の伝熱管１２３と伝熱管１２３の貫通孔に挿通される複数の第３フィン１１３とを備えている。伝熱管１２３の一端は、可逆弁１６の他端側の配管Ｃに接続されており、中間部において第５区画部１１Ｅと接続される渡り配管Ｄ，Ｅに接続されるとともに、他端側はガス管側配管Ｆに接続されている。
【００３１】
第３区画部１１Ｃは、長さ方向左右両端で接続される複数の伝熱管１２４と伝熱管１２４の貫通孔に挿通される複数の第４フィン１１４とを備えている。伝熱管１２４の一端は、可逆弁１６の他端側の配管Ｃに接続されており、他端側はガス管側の冷媒配管Ｆに接続されている。
第４区画部１１Ｄは、長さ方向左右両端で接続される複数の伝熱管１２５と伝熱管１２５の貫通孔に挿通される複数の第５フィン１１５とを備えている。伝熱管１２５の一端は、可逆弁１６の他端側の配管Ｃに接続されており、他端側はガス管側の冷媒配管Ｆに接続されている。
【００３２】
第５区画部１１Ｅは、長さ方向左右両端で接続される複数の伝熱管１２６と伝熱管１２６の貫通孔に挿通される複数の第６フィン１１６とを備えている。伝熱管１２６の一端は渡り配管Ｄに接続されており、他端は渡り配管Ｅに接続されている。
第３区画部１１Ｃには、伝熱管１２４の内部を通過する冷媒の温度を検出するためのサーミスタ１３１が設けられている。
【００３３】
第１区画部１１Ａの第２フィン１１２、第２区画部１１Ｂの第３フィン１１３、第３区画部１１Ｃの第４フィン１１４を同一の部材を折り曲げて作成したものとすることができる。また、第１区画部１１Ａの第２フィン１１２、第２区画部１１Ｂの第３フィン１１３、第３区画部１１Ｃの第４フィン１１４、第４区画部１１Ｄの第５フィン１２５、第５区画部１１Ｅの第６フィン１２６をすべて同一の部材を折り曲げて作成することも可能である。いずれの場合も、第１区画部１１Ａが蒸発器として機能する際に、第１区画部１１Ａの第１フィン１１１、第２フィン１１２、伝熱管１２１、１２２に付着する結露水が、第１フィン１１１、第２フィン１１２の外表面を伝わって、第２区画部１１Ｂの第３フィン１１３および第３区画部１１Ｃの第４フィン１１４の外表面に案内されるように設定する。
【００３４】
この室内熱交換器１１では、第１区画部１１Ａが第１熱交部１４を構成し、第２区画部１１Ｂ、第３区画部１１Ｃ、第４区画部１１Ｄ、第５区画部１１Ｅが第２熱交部１５を構成することとなる。
このように構成される室内熱交換器１１では、可逆弁１６を開放状態とし、四路切換弁２２を実線位置として運転することで、第１熱交部１４および第２熱交部１５をともに凝縮器として機能させることができ、暖房運転を行うことが可能となる。また、同様に可逆弁１６を開放状態とし、四路切換弁２２を点線位置として運転することで、第１熱交部１４および第２熱交部１５をともに蒸発器として機能させることができ、冷房運転を行うことができる。
【００３５】
また、四路切換弁２２を点線位置とし、可逆弁１６を減圧状態とすることによって、室内熱交換器１１の第１熱交部１４を凝縮器として機能させ、第２熱交部１５を蒸発器として機能させることが可能となる。この場合、第２熱交部１５で室内空気中に含まれる水分を除去するとともに、第１熱交部１４で室温が低くなりすぎないように暖めることができ、いわゆる再熱ドライモードの運転が可能となる。
【００３６】
さらに、四路切換弁２２を実線位置とし、可逆弁１６を減圧状態とすることによって、室内熱交換器１１の第１熱交部１４を蒸発器として機能させ、第２熱交部１５を凝縮器として機能させることが可能となる。このとき、第１区画部１１Ａの外表面に付着した結露水が、第１熱交部１４を構成する第１区画部１１Ａの第１フィン１１１および第２フィン１１２の外表面を介して、第２熱交部１５を構成する第２区画部１１Ｂおよび第３区画部１１Ｃに案内されることとなる。したがって、第１区画部１１Ａの外表面に付着した結露水は、第２区画部１１Ｂおよび第３区画部１１Ｃに案内されて加熱され、水蒸気に変換される。
上述の室内熱交換器１１では、第１区画部１１Ａ〜第５区画部１１Ｅを設定し、第１区画部１１Ａが第１熱交部１４、第２区画部１１Ｂ〜第５区画部１１Ｅが第２熱交部１５となるように設定しているが、第１熱交部１４および第２熱交部１５の位置や形状はこれに限定されない。
【００３７】
〔第１実施形態〕
参考に示す第１実施形態では、図４に示すように、第１区画部１５１、第２区画部１５２、第３区画部１５３、第４区画部１５４、第５区画部１５５を備える室内熱交換器１１を利用する。ここで第１区画部１５１は室内機２の前面上方に位置し、第２区画部１５２は室内機２の前面中央部に位置し、第３区画部１５３は前面下方に位置するように配置される。また、第４区画部１５４は室内機２の後部上方に位置し、第５区画部１５５は第４区画部１５４のさらに後方に位置するように配置されている。第５区画部１５５の上端は、上部から侵入する空気流が第４区画部１５４を通過する空気流と分岐されて通過することが可能となるように第４区画部１５４の上部と離間して配置されており、第５区画部１５５の下端は、第５区画部１５５の伝熱管およびフィンの外表面に付着した結露水が第４区画部１５４に案内されるように、第４区画部１５４の中間部に近接または当接して配置されている。
【００３８】
このように構成される室内熱交換器１１は、第５区画部１５５が第１熱交部１４（図２参照）を構成し、第１区画部１５１〜第４区画部１５４が第２熱交部１５（図２参照）を構成するものであり、第１区画部１５１〜第４区画部１５４の冷媒経路と第５区画部１５５の冷媒経路とは電動膨張弁などでなる可逆弁（図示せず）で接続されている。
【００３９】
室内機２は、内部機構を収納する本体ケーシングに室内空気を導入するための上部吸込口１７１および前面吸込口１７２を備えており、上部吸込口１７１よおび前面吸込口１７２から吸い込まれた空気中の異物を取り除くための防塵フィルタ１７３が取り付けられる。
また、室内機２の内部には、室内熱交換器１１の第１区画部１５１、第２区画部１５２、第３区画部１５３の下方に位置して、各区画部で発生する結露水を受けるための第１ドレンパン１７４が設けられている。さらに、室内機２の内部には、室内熱交換器１１の第４区画部１５４および第５区画部１５５の下方に位置して、各区画部で発生する結露水を受けるための第２ドレンパン１７５が設けられている。
【００４０】
室内機２の中央部には、室内空気を導入して室内熱交換器１１による熱交換後の空気を室内に供給するための空気流を生成するクロスフローファン１２が設けられている。また、室内機２の下部前面には、室内熱交換器１１による熱交換後の空気を室内に吹き出すための吹出口１７６が設けられている。
さらに、室内機２には、室内熱交換器１１の第５区画部１５５の後方に位置して冷却乾燥空気を室外に排出するための冷却乾燥空気排気経路１６２が設けられている。冷却乾燥空気排気経路１６２内には、室内熱交換器１１の第５区画部１５５を通過した空気を外部に排気するための空気流を生成する排気ファン１６３と、排気ファン１６３を駆動するためのファンモータ１６４とが設けられている。また、冷却乾燥空気排気経路１６２の室内機２側には、排気ファン１６３により生成される空気流を遮断することが可能なダンパー１６１が取り付けられている。ダンパー１６１は、モータやソレノイドなどの駆動手段（図示せず）によって駆動され、図４に示す遮断位置と図５に示す開放位置とをとり得るように構成されている。
【００４１】
加湿運転を行わない通常運転時には、図４に示すようにダンパー１６１を遮断位置とする。前面吸込口１７２から導入される室内空気は、防塵フィルタ１７３を通過後、室内熱交換器１１の第２区画部１５２、第３区画部１５３を通過し、各区画部内部を通過する冷媒と熱交換を行った後、吹出口１７６から室内に排出される。また、上面吸込口１７１から導入される室内空気は、防塵フィルタ１７３を通過後、室内熱交換器１１の第１区画部１５１、第４区画部１５４を通過し、各区画部内部を通過する冷媒と熱交換を行った後、吹出口１７６から室内に排出される。上面吸込口１７１から導入された室内空気の一部は、室内熱交換器１１の第５区画部１５５を背面側より通過してさらに第４区画部１５４を通過し、各区画部内部を通過する冷媒と熱交換を行った後、吹出口１７６から室内に排出される。
【００４２】
加湿運転を行う場合には、図５に示すようにダンパー１６１を開放状態とし、可逆弁を減圧状態に制御して室内熱交換器１１の第５区画部１５５を蒸発器として機能させ第１区画部１５１〜第４区画部１５４を凝縮器として機能させる。また、ファンモータ１６４により冷却乾燥空気排気経路１６２内に設けられた排気ファン１６３を駆動し、室内機２内に導入された空気の一部を室内に排出するように構成する。
【００４３】
この状態でクロスフローファン１２を回転駆動することにより、図５に示すように、前面吸込口１７２から導入される室内空気は、防塵フィルタ１７３を通過後、室内熱交換器１１の第２区画部１５２、第３区画部１５３を通過し、各区画部内部を通過する冷媒と熱交換を行った後、吹出口１７６から室内に排出される。また、上面吸込口１７１から導入される室内空気は、防塵フィルタ１７３を通過後、室内熱交換器１１の第１区画部１５１、第４区画部１５４を通過し、各区画部内部を通過する冷媒と熱交換を行った後、吹出口１７６から室内に排出される。
【００４４】
上面吸込口１７１から導入された室内空気の一部は、冷却乾燥空気排気経路１６２内に設けられた排気ファン１６３による空気流により、室内熱交換器１１の第５区画部１５５を通過し、第５区画部１５５内部を通過する冷媒との間で熱交換した後、冷却乾燥空気排気経路１６２に案内され室外に排出される。
このとき、室内熱交換器１１の第５区画部１５５は蒸発器として機能しており、導入される室内空気中に含まれる水分が第５区画部１５５を形成する伝熱管およびフィンの外表面に結露水として付着する。この結果、第５区画部１５５を通過した後の空気は、除湿されて冷却乾燥空気となっている。
【００４５】
室内熱交換器１１の第５区画部１５５は第４区画部１５４の中間部に近接または当接した状態で配置されており、第５区画部１５５の伝熱管およびフィンの外表面に付着した結露水は、フィンの外表面を案内されて第４区画部１５４の外表面に到達する。ここで、室内熱交換器１１の第４区画部１５４は、凝縮器として機能しているため、上部吸込口１７１から導入された室内空気を加熱するとともに、第５区画部１５５から案内された結露水を加熱し、加湿空気を生成することとなる。したがって、室内空気中に含まれる水分を室内熱交換器１１の第５区画部１５５で抽出し、第４区画部１５４を通過する空気を加湿空気とすることができる。
【００４６】
室内熱交換器１１の第５区画部１５５を通過した後の冷却乾燥空気は、冷却乾燥空気排気経路１６２により室外に排出されるので、加湿効率を高めることができる。
〔第２実施形態〕
本発明に係る第２実施形態では、図６および図８に示すように、第１区画部１８１、第２区画部１８２、第３区画部１８３、第４区画部１８４、第５区画部１８５を備える室内熱交換器１１を利用する。
【００４７】
ここで第１区画部１８１は室内機２の前面上方に位置し、第２区画部１８２は室内機２の前面中央部に位置し、第３区画部１８３は前面下方に位置するように配置される。また、第４区画部１８４および第５区画部１８５は室内機２の後部上方に位置するように配置されている。第５区画部１８５は、第４区画部１８４の上部に位置するように配置されており、第５区画部１８５の伝熱管およびフィンの外表面に付着した結露水が第４区画部１５４に案内されるように、第５区画部１８５の下端部と第４区画部１８４の上端部が重畳している。
【００４８】
このように構成される室内熱交換器１１は、第５区画部１８５が第１熱交部１４（図２参照）を構成し、第１区画部１８１〜第４区画部１８４が第２熱交部１５（図２参照）を構成するものであり、第１区画部１８１〜第４区画部１８４の冷媒経路と第５区画部１８５の冷媒経路とは電動膨張弁などでなる可逆弁（図示せず）で接続されている。
【００４９】
室内機２は、内部機構を収納する本体ケーシングに室内空気を導入するための上部吸込口１７１および前面吸込口１７２を備えており、上部吸込口１７１よおび前面吸込口１７２から吸い込まれた空気中の異物を取り除くための防塵フィルタ１７３が取り付けられる。
また、室内機２の内部には、室内熱交換器１１の第１区画部１８１、第２区画部１８２、第３区画部１８３の下方に位置して、各区画部で発生する結露水を受けるための第１ドレンパン１７４が設けられている。さらに、室内機２の内部には、室内熱交換器１１の第４区画部１８４および第５区画部１８５の下方に位置して、各区画部で発生する結露水を受けるための第２ドレンパン１７５が設けられている。
【００５０】
室内機２の中央部には、室内空気を導入して室内熱交換器１１による熱交換後の空気を室内に供給するための空気流を生成するクロスフローファン１２が設けられている。また、室内機２の下部前面には、室内熱交換器１１による熱交換後の空気を室内に吹き出すための吹出口１７６が設けられている。吹出口１７６には、室内熱交換器１１の第１区画部１８１〜第３区画部１８３および第５区画部１８５を通過した後の混合乾燥空気が通過する位置に配置された第１垂直フラップ１９１と、第４区画部１８４を通過した後の暖房加湿空気が通過する位置に配置された第２垂直フラップ１９２とが設けられている。
【００５１】
加湿運転を行わない通常運転時には、第１垂直フラップ１９１および第２垂直フラップ１９２は同一位置であり、ユーザが希望する吹出方向または装置が自動的に決定する吹出方向に設定される。また、室内熱交換器１１に設けられている可逆弁を開放状態に設定することによって第１区画部１８１〜第５区画部１８５は全て蒸発器または凝縮器のうち同一に機能するように構成される。このことにより、通常の暖房運転または冷房運転（またはドライモード運転）を実行することができる。
【００５２】
加湿運転を行う場合には、可逆弁を減圧状態に制御して室内熱交換器１１の第５区画部１８５を蒸発器として機能させ第１区画部１８１〜第４区画部１８４を凝縮器として機能させる。
この状態でクロスフローファン１２を回転駆動することにより、図６に示すように、前面吸込口１７２から導入される室内空気は、防塵フィルタ１７３を通過後、室内熱交換器１１の第２区画部１８２、第３区画部１８３を通過し、各区画部内部を通過する冷媒と熱交換を行った後、吹出口１７６から室内に排出される。また、上面吸込口１７１から導入される室内空気は、防塵フィルタ１７３を通過後、室内熱交換器１１の第１区画部１８１を通過し、第１区画部内部を通過する冷媒と熱交換を行った後、吹出口１７６から室内に排出される。
【００５３】
上面吸込口１７１から導入された室内空気の一部は、室内熱交換器１１の第５区画部１８５を通過し、第５区画部１８５内部を通過する冷媒と熱交換を行った後、吹出口１７６から室内に排出される。
このとき、室内熱交換器１１の第５区画部１８５は蒸発器として機能しており、導入される室内空気中に含まれる水分が第５区画部１８５を形成する伝熱管およびフィンの外表面に結露水として付着する。この結果、第５区画部１５５を通過した後の空気は、除湿されて冷却乾燥空気となっている。
【００５４】
室内熱交換器１１の第５区画部１８５下端部は第４区画部１５４の上端部と重畳するように配置されており、第５区画部１８５の伝熱管およびフィンの外表面に付着した結露水は、フィンの外表面を案内されて第４区画部１８４の外表面に到達する。ここで、室内熱交換器１１の第４区画部１８４は、凝縮器として機能しているため、上部吸込口１７１から導入された室内空気を加熱するとともに、第５区画部１８５から案内された結露水を加熱し、加湿空気を生成することとなる。したがって、室内空気中に含まれる水分を室内熱交換器１１の第５区画部１８５で抽出し、第４区画部１８４を通過する空気を加湿空気とすることができる。
【００５５】
室内熱交換器１１の第１区画部１８１〜第３区画部１８３を通過した後の暖房乾燥空気と、第５区画部１８５を通過した後の冷房乾燥空気とは混合されて混合乾燥空気として室内に排出される。また、室内熱交換器１１の第４区画部１８４を通過した後の空気は、第５区画部１８５で結露水として抽出された水分が付与された暖房加湿空気として室内に排出される。
【００５６】
このとき、混合乾燥空気が通過する位置に設けられている第１垂直フラップ１９１と、暖房加湿空気が通過する位置に設けられている第２垂直フラップ１９２とは、吹出方向を異なる方向にするように設定することが可能となっている。
たとえば、図７に示すように、人が存在する室内の中央領域に暖房加湿空気が吹き出されるように第２垂直フラップ１９２の方向を設定し、壁面やガラス窓などが存在する周辺領域に混合乾燥空気が吹き出されるように第２垂直フラップ１９１の方向を設定するように制御できる。
【００５７】
図７では、部屋Ｒの中央に配置されたベッドＢに向けて、暖房加湿空気Ｗが吹き出されるように第２垂直フラップ１９２の方向を設定することによって、部屋Ｒの中央部に加湿領域ＷＡができるように構成している。このとき、室内機２の左右方向に混合乾燥空気Ｄが吹き出されるように第１垂直フラップ１９１の方向を設定することによって、部屋Ｒの周辺に乾燥領域ＤＡができるように構成している。
【００５８】
上述のような設定とすることによって、人が存在する領域を加湿領域ＷＡとすることで人間が体感する加湿効果を高めることが可能となるとともに、壁面やガラス窓などの結露しやすい位置に乾燥領域ＤＡを設定することができ、加湿の効率を高め、カビの発生を抑制することも可能となる。
第１垂直フラップ１９１および第２垂直フラップ１９２の吹出方向は、リモコンで設定できるように構成することも可能であり、室内機２に人体センサを搭載しておき自動的に人の存在する方向に暖房加湿空気を送出するように構成することも可能である。
【００５９】
〔第３実施形態〕
本発明に係る第３実施形態に採用される室内機２は第２実施形態に用いられる室内機２と略同様に構成される。ここでは、図８に示すように、第１区画部１８１、第２区画部１８２、第３区画部１８３、第４区画部１８４、第５区画部１８５を備える室内熱交換器１１を利用する。
【００６０】
ここで第１区画部１８１は室内機２の前面上方に位置し、第２区画部１８２は室内機２の前面中央部に位置し、第３区画部１８３は前面下方に位置するように配置される。また、第４区画部１８４および第５区画部１８５は室内機２の後部上方に位置するように配置されている。第５区画部１８５は、第４区画部１８４の上部に位置するように配置されており、第５区画部１８５の伝熱管およびフィンの外表面に付着した結露水が第４区画部１５４に案内されるように、第５区画部１８５の下端部と第４区画部１８４の上端部が重畳している。
【００６１】
このように構成される室内熱交換器１１は、第５区画部１８５が第１熱交部１４（図２参照）を構成し、第１区画部１８１〜第４区画部１８４が第２熱交部１５（図２参照）を構成するものであり、第１区画部１８１〜第４区画部１８４の冷媒経路と第５区画部１８５の冷媒経路とは電動膨張弁などでなる可逆弁（図示せず）で接続されている。
【００６２】
室内機２は、内部機構を収納する本体ケーシングに室内空気を導入するための上部吸込口１７１および前面吸込口１７２を備えており、上部吸込口１７１よおび前面吸込口１７２から吸い込まれた空気中の異物を取り除くための防塵フィルタ１７３が取り付けられる。
また、室内機２の内部には、室内熱交換器１１の第１区画部１８１、第２区画部１８２、第３区画部１８３の下方に位置して、各区画部で発生する結露水を受けるための第１ドレンパン１７４が設けられている。さらに、室内機２の内部には、室内熱交換器１１の第４区画部１８４および第５区画部１８５の下方に位置して、各区画部で発生する結露水を受けるための第２ドレンパン１７５が設けられている。
【００６３】
室内機２の中央部には、室内空気を導入して室内熱交換器１１による熱交換後の空気を室内に供給するための空気流を生成するクロスフローファン１２が設けられている。また、室内機２の下部前面には、室内熱交換器１１によう熱交換後の空気を室内に吹き出すための吹出口１７６が設けられている。吹出口１７６には、室内熱交換器１１の第１区画部１８１〜第３区画部１８３を通過した後の暖房乾燥空気、第５区画部１８５を通過した後の冷却乾燥空気および第４区画部１８４を通過した後の暖房加湿空気をそれぞれ室内の上下方向に位置する所定領域に案内する第１水平フラップ１９５および第２水平フラップ１９６が設けられている。
【００６４】
加湿運転を行わない通常運転時には、第１水平フラップ１９５および第２水平フラップ１９６は運転状況に応じてユーザが希望する吹出方向または装置が自動的に決定する吹出方向に設定される。また、室内熱交換器１１に設けられている可逆弁を開放状態に設定することによって第１区画部１８１〜第５区画部１８５は全て蒸発器または凝縮器のうち同一に機能するように構成される。このことにより、通常の暖房運転または冷房運転（またはドライモード運転）を実行することができる。
【００６５】
加湿運転を行う場合には、可逆弁を減圧状態に制御して室内熱交換器１１の第５区画部１８５を蒸発器として機能させ第１区画部１８１〜第４区画部１８４を凝縮器として機能させる。
この状態でクロスフローファン１２を回転駆動することにより、図６に示すように、前面吸込口１７２から導入される室内空気は、防塵フィルタ１７３を通過後、室内熱交換器１１の第２区画部１８２、第３区画部１８３を通過し、各区画部内部を通過する冷媒と熱交換を行った後、吹出口１７６から室内に排出される。また、上面吸込口１７１から導入される室内空気は、防塵フィルタ１７３を通過後、室内熱交換器１１の第１区画部１８１を通過し、第１区画部内部を通過する冷媒と熱交換を行った後、吹出口１７６から室内に排出される。
【００６６】
上面吸込口１７１から導入された室内空気の一部は、室内熱交換器１１の第５区画部１８５を通過し、第５区画部１８５内部を通過する冷媒と熱交換を行った後、吹出口１７６から室内に排出される。
このとき、室内熱交換器１１の第５区画部１８５は蒸発器として機能しており、導入される室内空気中に含まれる水分が第５区画部１８５を形成する伝熱管およびフィンの外表面に結露水として付着する。この結果、第５区画部１５５を通過した後の空気は、除湿されて冷却乾燥空気となっている。
【００６７】
室内熱交換器１１の第５区画部１８５下端部は第４区画部１５４の上端部と重畳するように配置されており、第５区画部１８５の伝熱管およびフィンの外表面に付着した結露水は、フィンの外表面を案内されて第４区画部１８４の外表面に到達する。ここで、室内熱交換器１１の第４区画部１８４は、凝縮器として機能しているため、上部吸込口１７１から導入された室内空気を加熱するとともに、第５区画部１８５から案内された結露水を加熱し、加湿空気を生成することとなる。したがって、室内空気中に含まれる水分を室内熱交換器１１の第５区画部１８５で抽出し、第４区画部１８４を通過する空気を加湿空気とすることができる。
【００６８】
このとき、第１水平フラップ１９５および第２水平フラップ１９６を制御して、室内熱交換器１１の第１区画部１８１〜第３区画部１８３を通過した後の暖房乾燥空気と、第５区画部１８５を通過した後の冷房乾燥空気とが混合されて弱暖乾燥空気として、室内の上部領域に吹き出され、かつ第４区画部１８４を通過した後の空気が、弱暖乾燥空気よりも下方に位置する室内の下部領域に吹き出されるように構成する。
【００６９】
たとえば、図９に示すように、部屋Ｒの下方領域にベッドＢが設置されており、このベッドＢ上で就寝中の人に対して加湿空気を送出する場合に、前述したように第１水平フラップ１９５、第２水平フラップ１９６を制御して暖房加湿空気が部屋Ｒの下部領域に吹き出されるようにする。室内熱交換器１１の第１区画部１８１〜第３区画部１８３を通過した後の暖房乾燥空気と、第５区画部１８５を通過した後の冷房乾燥空気とが混合された弱暖乾燥空気は、第４区画部１８４を通過した後の暖房加湿空気を下方に押さえ込む働きをするため、暖房加湿空気が部屋Ｒの上部領域に上昇することを抑制する。したがって、暖房加湿空気による加湿領域ＷＡを部屋Ｒの下部領域に形成し、弱暖乾燥空気による乾燥領域ＤＡを部屋Ｒの上部領域に形成することができる。
【００７０】
上述のような構成により、人が存在する位置をスポット加湿するように構成でき、人間が体感する加湿効果を高め、それ以外の領域における余分な加湿によるカビの発生などを抑制できる。
第１水平フラップ１９５および第２水平フラップ１９６の構成に代えて、水平フラップが１つの構成または水平フラップが３以上の構成にすることが可能であり、弱暖乾燥空気と暖房加湿空気とを部屋Ｒ内の異なる領域に送出するような構成であれば実施例のものに限定されるものではない。
【００７１】
また、室内熱交換器１１の第１区画部１８１〜第３区画部１８３を通過した後の暖房乾燥空気と、第５区画部１８５を通過した後の冷房乾燥空気とを混合せずに、暖房乾燥空気を上部領域に向けて送出し、冷房乾燥空気を中間領域に送出するように構成することも可能である。この場合には、冷房乾燥空気による暖房加湿空気の押さえ込みがより確実に行われ、暖房加湿空気によるスポット加湿をより効果的に行うことが可能となる。
【図面の簡単な説明】
【図１】  空気調和機の外観構成を示す斜視図。
【図２】  冷媒回路の説明図。
【図３】  室内熱交換器の模式図。
【図４】  第１実施形態が採用される室内機の断面図。
【図５】  第１実施形態が採用される室内機の断面図。
【図６】  第２実施形態が採用される室内機の断面図。
【図７】  加湿制御の説明図。
【図８】  第３実施形態が採用される室内機の断面図。
【図９】  加湿制御の説明図。
【符号の説明】
１１  室内熱交換器
１４  第１熱交部
１５  第２熱交部
１６  可逆弁
【図１】
0003731113.tif 000002
【図２】
0003731113.tif 000003
【図３】
0003731113.tif 000004
【図４】
0003731113.tif 000005
【図５】
0003731113.tif 000006
【図６】
0003731113.tif 000007
【図７】
0003731113.tif 000008
【図８】
0003731113.tif 000009
【図９】
0003731113.tif 000010